(57)【特許請求の範囲】
【請求項１】
比較的長尺で且つ横断面が略矩形状の支柱部（２１）の両側面の上方から下方に沿って順次突設した第１止水リップ部（２２）、第２止水リップ部（２３）、第３止水リップ部（２４）、前記第１止水リップ部（２２）と前記第２止水リップ部（２３）間を連結する第１架橋部（２５）、前記支柱部（２１）の下端を若干拡大して成る脚部（２６）、前記第２止水リップ部（２３）と前記第３止水リップ部（２４）間を連結する第２架橋部（２７）、及び前記第１止水リップ部（２２）と前記支柱部（２１）内にインサート成形される略Ｔ字状の芯金材（ＩＰ）を夫々一体的に成形して成る外壁目地部用ガスケット（２０）であって、
前記第１架橋部（２５）が、その略中間部を前記支柱部（２１）の反対方向に向けて屈折した状態に成形され、
前記第２架橋部（２７）も、その略中間部を前記支柱部（２１）の反対方向に向けて屈折した状態に成形されることを特徴とする外壁目地部用ガスケット。
【請求項２】
前記第１架橋部（２５）が、前記第２止水リップ部（２３）との連結部寄りから前記第１止水リップ部（２２）と前記第２止水リップ部（２３）の各先端部近傍と前記第１架橋部（２５）によって画成される第１空間（ＳＰ1 ）に向けて延伸する空間充填リップ部（２９）を具備して成ることを特徴とする請求項１に記載の外壁目地部用ガスケット。
【請求項３】
前記前記第１架橋部（２５）が、前記第２止水リップ部（２３）との連結部寄りから前記第１止水リップ部（２２）と前記第２止水リップ部（２３）の各先端部近傍と前記第１架橋部（２５）によって画成される第１空間（ＳＰ1 ）に向けて突出する空間充填凸部（３１）を具備して成ることを特徴とする請求項１に記載の外壁目地部用ガスケット。
【請求項４】
前記第２止水リップ部（２３）が、前記架橋部（２５）との連結部寄りから前記第１止水リップ部（２２）と前記第２止水リップ部（２３）の各先端部近傍と前記第１架橋部（２５）によって画成される第１空間（ＳＰ1 ）に向けて延伸する空間充填リップ部（２８）を具備して成ることを特徴とする請求項１に記載の外壁目地部用ガスケット。
【請求項５】
前記第２止水リップ部（２３）が、その各先端部近傍から前記第１止水リップ部（２２）と前記第２止水リップ部（２３）の各先端部近傍と前記第１架橋部（２５）によって画成される第１空間（ＳＰ1 ）に向けて突出する空間充填凸部（３０）を具備して成ることを特徴とする請求項１に記載の外壁目地部用ガスケット。
【発明の詳細な説明】
【０００１】
【発明の属する技術分野】
本発明は、建造物等の外壁目地部に沿って嵌装され、該外壁目地部を止水する外壁目地部用ガスケットに関するものである。
【０００２】
【従来の技術】
従来、工場、倉庫、住宅等の外壁部として、コンクリート、プラスチック、木材等から成る各外壁パネル部材が互いにある程度の間隙、即ち外壁目地部を設けて、予め現場に組み立てられた鉄骨フレーム部材に固定されていた。
その代表的な固定方法は、図７〜図８に要部を横断面図で示したように、各外壁パネル部材ＯＷＰが建築仕様の指定寸法に準じた間隙を有する外壁目地部Ｊを画成するように、予め現場に組み立てられた鉄骨フレーム部材ＦＲに適宜固定されていた。
【０００３】
しかる後、比較的長尺で且つ横断面が略矩形状の支柱部１１の両側面の上方から下方に沿って順次突設した第１止水リップ部１２、第２止水リップ部１３、第３止水リップ部１４、前記第１止水リップ部１２と前記第２止水リップ部１３間を略垂直に連結する架橋部１５、前記支柱部１１の下端を若干拡大して成る脚部１６、及び前記第１止水リップ部１２と前記支柱部１１内にインサート成形される略Ｔ字状の芯金材ＩＰを夫々一体的に成形して成る外壁目地部用ガスケット１０を、前記外壁目地部Ｊの長さに応じて適当な長さに切断し、前記外壁目地部Ｊ内に挿入して密封化を図って来た。
【０００４】
前記外壁目地部用ガスケット１０は、前記芯金材ＩＰを除く他の部材が例えば、塩化ビニル樹脂、オレフィン系エラストマー、スチレン系エラストマー等のゴム様弾性体を示す樹脂、またはクロロプレンゴム材、エチレンプロピレンゴム材等の合成ゴム材単体、または、クロロプレンゴム材あるいはエチレンプロピレンゴム材を芯材として、外層に耐候性あるいは着色性に富む材料を積層して成り、更に必要に応じて前記ガスケットの外層を、シリコーンゴム材あるいは塩素化ポリエチレンゴム材あるいはクロロスルフォン化ポリエチレンゴム材から成形して、コスト、押出成形性、可撓性、耐候性及び外観性等の向上を図っている。
【０００５】
なお、従来の前記外壁目地部用ガスケット１０が左あるいは右に傾いた状態で前記外壁目地部Ｊ内に挿入された場合、前記架橋部１５は、前記第１止水リップ部１２の左側あるいは右側の先端部が前記外壁目地部Ｊを画成する前記外壁パネル部材ＯＷＰの側端面から前記外壁目地部Ｊの内部空間に巻き込まれるように湾曲変形することをその曲げ剛性によって阻止し、前記第１止水リップ部１２の密封性と外観性が損なわれることを防止する機能を有していた。
【０００６】
【発明が解決しようとする課題】
しかしながら、前述した従来の外壁目地部用ガスケット１０が、前記脚部１６が前記鉄骨フレーム部材ＦＲの上面に当接するまで前記外壁目地部Ｊ内に挿入されると、前記第１止水リップ部１２の両先端部は、図７に示したように比較的小さな曲率半径ｒを以て屈曲して折り目状の筋になり、その結果外観性が著しく損なわれる欠点があった。前記第１止水リップ部１２の前記折り目状の筋の発生原因は、前記外壁目地部Ｊへの挿入に伴って前記第１止水リップ部１２と同方向に湾曲変形する前記第２止水リップ部１３により、略垂直に延伸する長さが短い前記架橋部１５が前記支柱部１１に向けた矢印Ｆの方向に傾斜変形しながら引っ張られ、その結果、前記第１止水リップ部１２の左右先端部に曲げ応力が局部的に集中するためであると考えられる。
【０００７】
上述した従来の外壁目地部用ガスケット１０の欠点に関する対策として、前記第１止水リップ部１２と前記第２止水リップ部１３間を略垂直に連結する前記架橋部１５に代わって、図９に示したようにその略中間部を前記支柱部１１に向けて屈折した状態に成形してその延伸長さを増加させた別の架橋部１５ａが提案され、該別の架橋部１５ａによって前記第１止水リップ部１２の左右先端部に曲げ応力が局部的に集中することを回避可能になった。
【０００８】
しかしながら、前記一方の架橋部１５と同様に別の欠点として、前記第１止水リップ部１２と前記第２止水リップ部１３の各先端部近傍と前記架橋部１５，１５ａによって画成される第１空間ＳＰ1 、及び前記第２止水リップ部１３と前記第４止水リップ部１４と前記支柱部１１によって画成される第２空間ＳＰ2 が夫々比較的広いので、前記外壁目地部Ｊへの挿入時に、少なくとも前記第２止水リップ部１３と前記第４止水リップ部１４の各先端部近傍の湾曲変形に対する曲げ剛性が低く、前記架橋部１５，１５ａあるいは前記支柱部１１に向けて湾曲変形し易く、その結果前記外壁目地部用ガスケット１０全体の左右方向の位置ズレを誘発させる欠点が解消されなかった。
【０００９】
本発明の外壁目地部用ガスケットは、前述した従来技術の問題点を解消し、外壁目地部の目地幅の広狭に関係なく挿入取付け操作を容易に且つ正確に行うことが可能な外壁目地部用ガスケットを提供することを目的とするものである。
【００１０】
【課題を解決するための手段】
本発明のかかる目的は、比較的長尺で且つ横断面が略矩形状の支柱部の両側面の上方から下方に沿って順次突設した第１止水リップ部、第２止水リップ部、第３止水リップ部、前記第１止水リップ部と前記第２止水リップ部間を連結する第１架橋部、前記支柱部の下端を若干拡大して成る脚部、前記第２止水リップ部と前記第３止水リップ部間を連結する第２架橋部、及び前記第１止水リップ部と前記支柱部内にインサート成形される略Ｔ字状の芯金材を夫々一体的に成形して成る外壁目地部用ガスケットであって、前記第１架橋部が、その略中間部を前記支柱部の反対方向に向けて屈折した状態に成形され、前記第２架橋部も、その略中間部を前記支柱部の反対方向に向けて屈折した状態に成形されることを特徴とする外壁目地部用ガスケットによって達成される。
【００１１】
更に、本発明のかかる目的は、前記前記第１架橋部が、前記第２止水リップ部との連結部寄りから前記第１止水リップ部と前記第２止水リップ部の各先端部近傍と前記第１架橋部によって画成される第１空間に向けて延伸する空間充填リップ部を具備して成ることを特徴とする外壁目地部用ガスケットによって達成される。
【００１２】
前記前記第１架橋部が、前記第２止水リップ部との連結部寄りから前記第１止水リップ部と前記第２止水リップ部の各先端部近傍と前記第１架橋部によって画成される第１空間に向けて突出する空間充填凸部を具備して成ることを特徴とする外壁目地部用ガスケットによって達成される。
【００１３】
前記第２止水リップ部が、前記架橋部との連結部寄りから前記第１止水リップ部と前記第２止水リップ部の各先端部近傍と前記第１架橋部によって画成される第１空間に向けて延伸する空間充填リップ部を具備して成ることを特徴とする外壁目地部用ガスケットによって達成される。
【００１４】
前記第２止水リップ部が、その各先端部近傍から前記第１止水リップ部と前記第２止水リップ部の各先端部近傍と前記第１架橋部によって画成される第１空間に向けて突出する空間充填凸部を具備して成ることを特徴とする外壁目地部用ガスケットによって達成される。
【００１５】
【作用】
本発明の外壁目地部用ガスケットは、比較的長尺で且つ横断面が略矩形状の前記支柱部の両側面の上方から下方に沿って順次突設した前記第１止水リップ部、前記第２止水リップ部、前記第３止水リップ部、前記第１止水リップ部と前記第２止水リップ部間を連結する前記第１架橋部、前記支柱部の下端を若干拡大して成る脚部、前記第２止水リップ部と前記第３止水リップ部間を連結する前記第２架橋部、及び前記第１止水リップ部と前記支柱部内にインサート成形される略Ｔ字状の前記芯金材を夫々一体的に成形して成る前記外壁目地部用ガスケットであって、前記第１架橋部が、その略中間部を前記支柱部の反対方向に向けて屈折した状態に成形され、前記第２架橋部も、その略中間部を前記支柱部の反対方向に向けて屈折した状態に成形されるので、前記第１架橋部は前記外壁目地部への挿入に伴う屈曲変形で、前記第１止水リップ部の先端部近傍が比較的大きな曲率半径で湾曲変形することを許容し、且つ前記第１空間を埋めて前記第２止水リップ部の曲げ剛性を補強する。一方、前記第２架橋部も前記外壁目地部への挿入に伴う屈曲変形で、前記第２空間を埋めて前記第３止水リップ部の曲げ剛性を補強する。
【００１６】
更に、本発明の外壁目地部用ガスケットは、前記第１架橋部が、前記第２止水リップ部との連結部寄りから前記第１止水リップ部と前記第２止水リップ部の各先端部近傍と前記第１架橋部によって画成される前記第１空間に向けて延伸する前記空間充填リップ部を具備して成るので、前記第１架橋部は前記外壁目地部への挿入に伴う屈曲変形で、前記空間充填リップ部と協動して前記第１空間を一層効果的に埋めて前記第２止水リップ部の曲げ剛性を更に高める。
【００１７】
更に、本発明の外壁目地部用ガスケットは、前記第１架橋部が、前記第２止水リップ部との連結部寄りから前記第１止水リップ部と前記第２止水リップ部の各先端部近傍と前記第１架橋部によって画成される前記第１空間に向けて突出する前記空間充填凸部を具備して成るので、前記第１架橋部は前記外壁目地部への挿入に伴う屈曲変形で、前記空間充填凸部と協動して前記第１空間を一層効果的に埋めて前記第２止水リップ部の曲げ剛性を更に高める。
【００１８】
更に、本発明の外壁目地部用ガスケットは、前記第２止水リップ部が、前記架橋部との連結部寄りから前記第１止水リップ部と前記第２止水リップ部の各先端部近傍と前記第１架橋部によって画成される前記第１空間に向けて延伸する前記空間充填リップ部を具備して成るので、前記第２止水リップ部は前記外壁目地部への挿入に伴う屈曲変形で、前記空間充填リップ部と協動して前記第１空間を一層効果的に埋めて前記第２止水リップ部の曲げ剛性を更に高める。
【００１９】
更に、本発明の外壁目地部用ガスケットは、前記第２止水リップ部が、その各先端部近傍から前記第１止水リップ部と前記第２止水リップ部の各先端部近傍と前記第１架橋部によって画成される前記第１空間に向けて突出する前記空間充填凸部を具備して成るので、前記第２止水リップ部は前記外壁目地部への挿入に伴う屈曲変形で、前記空間充填凸部と協動して前記第１空間を一層効果的に埋めて前記第２止水リップ部の曲げ剛性を更に高める。
【００２０】
【発明の実施の形態】
本発明の外壁目地部用ガスケットの一実施態様について、添付した図面に基づいて以下に詳述する。図１は外壁目地部Ｊ内に挿入された本発明の外壁目地部用ガスケット２０の要部を示す横断面図であり、図２は前記外壁目地部Ｊ内への挿入前の自由状態にある本発明の外壁目地部用ガスケット２０の要部を示す横断面図である。
前記外壁目地部３に挿入前の本発明の外壁目地部用ガスケット２０は、図２から明らかなように、比較的長尺で且つ横断面が略矩形状の支柱部２１の両側面の上方から下方に沿って順次突設した第１止水リップ部２２、第２止水リップ部２３、第３止水リップ部２４、前記第１止水リップ部２２と前記第２止水リップ部２３間を連結する第１架橋部２５、前記支柱部２１の下端を若干拡大して成る脚部２６、前記第２止水リップ部２３と前記第３止水リップ部２４間を連結する前記第２架橋部２７、及び前記第１止水リップ部２２と前記支柱部２１内にインサート成形される略Ｔ字状の芯金材ＩＰを夫々一体的に成形して成る外壁目地部用ガスケット２０を、前記外壁目地部Ｊの長さに応じて適当な長さに切断し、前記外壁目地部Ｊ内に挿入して密封化を図る。
【００２１】
前記外壁目地部用ガスケット２０は、前記芯金材ＩＰを除く他の部材が例えば、塩化ビニル樹脂、オレフィン系エラストマー、スチレン系エラストマー等のゴム様弾性体を示す樹脂、またはクロロプレンゴム材、エチレンプロピレンゴム材等の合成ゴム材単体、または、クロロプレンゴム材あるいはエチレンプロピレンゴム材を芯材として、外層に耐候性あるいは着色性に富む材料を積層して成り、更に必要に応じて前記ガスケットの外層を、シリコーンゴム材あるいは塩素化ポリエチレンゴム材あるいはクロロスルフォン化ポリエチレンゴム材から成形して、コスト、押出成形性、可撓性、耐候性及び外観性等の向上を図っている。
【００２２】
更に、本発明の外壁目地部用ガスケット２０は、前記第１架橋部２５がその略中間部を前記支柱部２１の反対方向に向けて屈折した状態に成形され、前記第２架橋部２７も、その略中間部を前記支柱部２１の反対方向に向けて屈折した状態に成形されるので、十分な延伸長さを有した前記第１架橋部２５は、前記外壁目地部Ｊへの挿入に伴う屈曲変形で、前記第１止水リップ部２２の先端部近傍を下方に引っ張ることなく十分な曲げ剛性で支持すると共に、前記第１止水リップ部２２と前記第２止水リップ部２３の各先端部近傍と前記第１架橋部２５によって画成される前記第１空間ＳＰ1 を埋める。
【００２３】
その結果、前記第１止水リップ部２２は、比較的大きな曲率半径Ｒで湾曲変形して好ましい密封性と外観性が得られる。また、丸印Ａで囲んだ領域にように、前記第１架橋部２５が屈曲変形で前記第１空間ＳＰ1 を埋めることにより前記第２止水リップ部の曲げ剛性が補強される一方、前記第２架橋部２７も丸印Ｂで囲んだ領域にように、前記外壁目地部への挿入に伴う屈曲変形により、前記第２止水リップ部２３と前記第４止水リップ部２４と前記支柱部２１によって画成される第２空間ＳＰ2 を埋めながら前記第２止水リップ部２３及び前記第３止水リップ部２４の曲げ剛性を補強して前記外壁目地部用ガスケット２０全体の左右方向の位置ズレの発生を阻止する。
【００２４】
更に、本発明の外壁目地部用ガスケット２０の変更例として、前記第１架橋部２５が図４に示したように、前記第２止水リップ部２３との連結部寄りから前記第１止水リップ部２２と前記第２止水リップ部２３の各先端部近傍と前記第１架橋部２５によって画成される前記第１空間ＳＰ1 に向けて延伸する前記空間充填リップ部２９を具備して成る。
前記第１架橋部は前記外壁目地部Ｊへの挿入に伴う屈曲変形で、前記空間充填リップ部２９と協動して前記第１空間ＳＰ1 を一層効果的に埋めて前記第２止水リップ部２３の曲げ剛性を更に高める。
【００２５】
更に、本発明の外壁目地部用ガスケット２０の別の変更例として、前記第１架橋部２５が図６に示したように、前記第２止水リップ部２３との連結部寄りから前記第１止水リップ部２２と前記第２止水リップ部２３の各先端部近傍と前記第１架橋部２５によって画成される前記第１空間ＳＰ1 に向けて突出する前記空間充填凸部３１を具備して成るので、前記第１架橋部２５は前記外壁目地部Ｊへの挿入に伴う屈曲変形で、前記空間充填凸部３１と協動して前記第１空間ＳＰ1 を一層効果的に埋めて前記第２止水リップ部２３の曲げ剛性を更に高める。
【００２６】
更に、本発明の外壁目地部用ガスケット２０の他の変更例として、前記第２止水リップ部２３が図３に示したように、前記第１架橋部２５との連結部寄りから前記第１止水リップ部２２と前記第２止水リップ部２３の各先端部近傍と前記第１架橋部２５によって画成される前記第１空間ＳＰ1 に向けて延伸する前記空間充填リップ部２８を具備して成るので、前記第２止水リップ部は前記外壁目地部Ｊへの挿入に伴う屈曲変形で、前記空間充填リップ部２８と協動して前記第１空間を一層効果的に埋めて前記第２止水リップ部２３の曲げ剛性を更に高める。
【００２７】
更に、本発明の外壁目地部用ガスケット２０の他の変更例として、前記第２止水リップ部が図５に示したように、その各先端部近傍から前記第１止水リップ部２２と前記第２止水リップ部２３の各先端部近傍と前記第１架橋部２５によって画成される前記第１空間ＳＰ1 に向けて突出する前記空間充填凸部２９を具備して成るので、前記第２止水リップ部２３は前記外壁目地部Ｊへの挿入に伴う屈曲変形で、前記空間充填凸部２９と協動して前記第１空間ＳＰ1 を一層効果的に埋めて前記第２止水リップ部２３の曲げ剛性を更に高める。
【００２８】
【発明の効果】
以上、記述した本発明の外壁目地部用ガスケットは、次に記すような新規な効果を奏するものである。即ち、本発明の外壁目地部用ガスケットは、比較的長尺で且つ横断面が略矩形状の前記支柱部の両側面の上方から下方に沿って順次突設した前記第１止水リップ部、前記第２止水リップ部、前記第３止水リップ部、前記第１止水リップ部と前記第２止水リップ部間を連結する前記第１架橋部、前記支柱部の下端を若干拡大して成る脚部、前記第２止水リップ部と前記第３止水リップ部間を連結する前記第２架橋部、及び前記第１止水リップ部と前記支柱部内にインサート成形される略Ｔ字状の前記芯金材を夫々一体的に成形して成る前記外壁目地部用ガスケットであって、前記第１架橋部が、その略中間部を前記支柱部の反対方向に向けて屈折した状態に成形され、前記第２架橋部も、その略中間部を前記支柱部の反対方向に向けて屈折した状態に成形されるので、前記第１架橋部が前記外壁目地部への挿入に伴う屈曲変形で、前記第１止水リップ部の先端部近傍が比較的大きな曲率半径で湾曲変形することを許容し、且つ前記第１空間を埋めて前記第２止水リップ部の曲げ剛性を補強する一方、前記第２架橋部が前記外壁目地部への挿入に伴う屈曲変形で、前記第２空間を埋めながら前記第２止水リップ部及び前記第３止水リップ部の曲げ剛性を補強することが可能になった。
【００２９】
更に、本発明の外壁目地部用ガスケットは、前記第１架橋部が、前記第２止水リップ部との連結部寄りから前記第１止水リップ部と前記第２止水リップ部の各先端部近傍と前記第１架橋部によって画成される前記第１空間に向けて延伸する前記空間充填リップ部を具備して成るので、前記第１架橋部が前記外壁目地部への挿入に伴う屈曲変形で、前記空間充填リップ部と協動して前記第１空間を一層効果的に埋めて、前記第２止水リップ部の曲げ剛性を更に高めることが可能になった。
【００３０】
更に、本発明の外壁目地部用ガスケットは、前記第１架橋部が、前記第２止水リップ部との連結部寄りから前記第１止水リップ部と前記第２止水リップ部の各先端部近傍と前記第１架橋部によって画成される前記第１空間に向けて突出する前記空間充填凸部を具備して成るので、前記第１架橋部が前記外壁目地部への挿入に伴う屈曲変形で、前記空間充填凸部と協動して前記第１空間を一層効果的に埋めて、前記第２止水リップ部の曲げ剛性を更に高めることが可能になった。
【００３１】
更に、本発明の外壁目地部用ガスケットは、前記第２止水リップ部が、前記第１架橋部との連結部寄りから前記第１止水リップ部と前記第２止水リップ部の各先端部近傍と前記第１架橋部によって画成される前記第１空間に向けて延伸する前記空間充填リップ部を具備して成るので、前記第２止水リップ部が前記外壁目地部への挿入に伴う屈曲変形で、前記空間充填リップ部と協動して前記第１空間を一層効果的に埋めて、前記第２止水リップ部の曲げ剛性を更に高める。
【００３２】
更に、本発明の外壁目地部用ガスケットは、前記第２止水リップ部が、その各先端部近傍から前記第１止水リップ部と前記第２止水リップ部の各先端部近傍と前記第１架橋部によって画成される前記第１空間に向けて突出する前記空間充填凸部を具備して成るので、前記第２止水リップ部が前記外壁目地部への挿入に伴う屈曲変形で、前記空間充填凸部と協動して前記第１空間を一層効果的に埋めて、前記第２止水リップ部の曲げ剛性を更に高める。
【００３３】
その結果、本発明の外壁目地部用ガスケットは、前述した従来技術の問題点を解消し、外壁目地部の目地幅の広狭に関係なく挿入取付け操作を容易に且つ正確に行うことが可能な外壁目地部用ガスケットを提供することが可能になった。
【図面の簡単な説明】
【図１】外壁目地部内に挿入された本発明の外壁目地部用ガスケットの要部を示す横断面図である。
【図２】外壁目地部内への挿入前の自由状態にある本発明の外壁目地部用ガスケットの要部を示す横断面図である。
【図３】本発明の外壁目地部用ガスケットの変更例の要部を示す横断面図である。
【図４】本発明の外壁目地部用ガスケットの別の変更例の要部を示す横断面図である。
【図５】本発明の外壁目地部用ガスケットの他の変更例の要部を示す横断面図である。
【図６】本発明の外壁目地部用ガスケットの他の変更例の要部を示す横断面図である。
【図７】外壁目地部内に挿入された従来の外壁目地部用ガスケットの要部を示す横断面図である。
【図８】外壁目地部内への挿入前の自由状態にある従来の外壁目地部用ガスケットの要部を示す横断面図である。
【図９】従来の外壁目地部用ガスケットの変更例の要部を示す横断面図である。
【符号の説明】
ＯＷＰ    外壁パネル部材
ＦＲ      鉄骨フレーム部材
Ｊ        外壁目地部
ＩＰ      芯金材
ＳＰ1     第１空間
ＳＰ2     第２空間
１０      従来の外壁目地部用ガスケット
１１      支柱部
１２      第１止水リップ部
１３      第２止水リップ部
１４      第３止水リップ部
１５      架橋部
１５ａ    架橋部
１６      脚部
２０      本発明の外壁目地部用ガスケット
２１      支柱部
２２      第１止水リップ部
２３      第２止水リップ部
２４      第３止水リップ部
２５      第１架橋部
２６      脚部
２７      第２架橋部
２８      空間充填リップ部
２９      空間充填リップ部
３０      空間充填凸部
３１      空間充填凸部
【図１】
0003830120.tif 000002
【図２】
0003830120.tif 000003
【図３】
0003830120.tif 000004
【図４】
0003830120.tif 000005
【図５】
0003830120.tif 000006
【図６】
0003830120.tif 000007
【図７】
0003830120.tif 000008
【図８】
0003830120.tif 000009
【図９】
0003830120.tif 000010